(57)【要約】【課題】ニュース速報などのテロップが表示された際、視聴中以外の番組に表示されるテロップを、視聴中の番組と共に視認することが可能な利便性を図った表示装置を提供する。【解決手段】第一チューナー部１２で受信しているデジタルデータを画面として表示する表示部１６と、テロップが表示部１６に表示されたか否かを判別するテロップ検出部３１とを備え、テロップが表示部１６に表示されたことをテロップ検出部３１が判別した際、表示部１６に表示されている番組以外のチャンネルでテロップが表示される番組をサーチする第二チューナー部１２Ａを備え、第二チューナー１２Ａによるサーチで抽出されたチャンネルに対応するテロップを表示部１６に表示するチャンネルサーチ制御部３３を備えるので、視聴中以外の番組に表示されるテロップを、視聴中の番組と共に表示部１６に表示することができる。【選択図】図１
2008085561.tif 000002
【特許請求の範囲】
【請求項１】
デジタル放送を受信する第一チューナー部と、該第一チューナー部で受信しているデジタルデータを画面として表示する表示部と、該表示部に前記デジタルデータが画面として表示されている状態で緊急情報としてのテロップが前記表示部に表示されたか否かを判別するテロップ検出部とを備えた表示装置であって、前記テロップが前記表示部に表示されたことを前記テロップ検出部が判別した際、前記表示部に表示されている番組以外のチャンネルでテロップが表示される番組をサーチする第二チューナー部を備え、該サーチで抽出されたチャンネルに対応するテロップを前記表示部に表示するチャンネルサーチ制御部を備えたことを特徴とする表示装置。
【請求項２】
前記第一チューナー部で受信しているデジタルデータを前記表示部に画面として表示している際、前記サーチで抽出されたチャンネルの番組を前記表示部に画面として多画面表示する画面表示制御部を備えたことを特徴とする請求項１記載の表示装置。
【請求項３】
前記第一チューナー部で受信しているデジタルデータを前記表示部に画面として表示している際、この表示部に表示されている画面上に、前記サーチで抽出されたチャンネルに対応する番組の画面を同時に表示する画面表示制御部を備えたことを特徴とする請求項１記載の表示装置。
【請求項４】
前記第一チューナー部で受信されている番組の画面と、前記第二チューナー部で受信されている番組の画面とを相互に切り替える切替え制御部を備えたことを特徴とする請求項２又は３記載の表示装置。
【請求項５】
前記第二チューナー部でサーチする時間を設定する時間設定部と、該時間設定部に設定された時間を計測する時間計測部とを備えたことを特徴とする請求項１〜４の何れか１項に記載の表示装置。
【請求項６】
前記サーチで前記表示部に表示されている番組以外のチャンネルでテロップが表示される番組が抽出されなかった際、前記画面表示制御部が、前記番組が抽出されなかった旨を前記表示部に文字や図面で表示することを特徴とする請求項５記載の表示装置。
【発明の詳細な説明】
【技術分野】
【０００１】
本発明は、デジタル放送を受信して映像を表示する表示装置に関し、特に番組の視聴中にニュース速報などのテロップが表示された際、視聴中以外の番組に表示されるテロップを表示することが可能な表示装置に関する。
【背景技術】
【０００２】
近年、地上デジタル放送の放送エリアが、首都圏の他、各地域に段階的に拡大され普及してきている。こうしたデジタル放送は、従来のアナログ放送から移行することにより、ハイビジョン放送などの高画質放送や、放送番組の多チャンネル化、データ放送などが行なわれている。そして、地上デジタル放送を受信するには、デジタルチューナーが用いられ、テレビに内蔵されたデジタルチューナーによって、映像や音声信号の他、テレビ画面に文字を表示するための信号などがデジタルデータとして受信されるようになっており、例えば、臨時ニュース、地震情報、選挙速報などの緊急情報が、テレビ画面にテロップとして表示される場合には、その表示される文字色が白色で表示されることが一般的となっている。
【０００３】
ところで、特許文献１においては、ニュース速報などのテロップが、番組を観ているときに表示された際、テロップが含まれている映像データを読み出すと共に、この映像データをプリントデータに変換してからプリンタに出力し、プリントデータをプリントアウトすることにより、見逃してしまったテロップをプリントアウトした用紙で確認することができる映像信号処理装置及びその方法が開示されている。
【０００４】
【特許文献１】特開２０００−２３０６０号公報
【発明の開示】
【発明が解決しようとする課題】
【０００５】
しかし、特許文献１においては、視聴中以外の番組で表示されるテロップを視認できるものではなく、さらには見逃したテロップをプリンタでプリントアウトしなければ、テロップの内容を確認することはできないことから、テロップを表示する表示装置とプリンタとを接続しなければならない。しかも、テロップをプリントアウトするだけのために、いちいち表示装置にプリンタを接続する必要があるので、その作業が煩わしく、テロップとして表示された文字数が多い場合には、この文字数に応じてプリントアウトに要する時間もかかってしまい、テロップを再確認するための作業効率が良いとはいえるものではなかった。
【０００６】
本発明は上記課題に鑑みてなされたものであり、ニュース速報などの予測なしに突然表示されるテロップが表示された際、視聴中以外の番組に表示されるテロップを、視聴中の番組と共に視認することが可能な利便性を図った表示装置を提供することを目的とする。
【課題を解決するための手段】
【０００７】
請求項１に係る表示装置は、デジタル放送を受信する第一チューナー部と、該第一チューナー部で受信しているデジタルデータを画面として表示する表示部と、該表示部に前記デジタルデータが画面として表示されている状態で緊急情報としてのテロップが前記表示部に表示されたか否かを判別するテロップ検出部とを備えた表示装置であって、前記テロップが前記表示部に表示されたことを前記テロップ検出部が判別した際、前記表示部に表示されている番組以外のチャンネルでテロップが表示される番組をサーチする第二チューナー部を備え、該サーチで抽出されたチャンネルに対応するテロップを前記表示部に表示するチャンネルサーチ制御部を備えたことを特徴とする。
【０００８】
請求項１の構成により、第一チューナー部で受信され表示部に表示されている番組の画面にテロップが表示されたことをテロップ検出部が判別すると、第二チューナー部が、表示部に表示されている番組以外のチャンネルでテロップが表示される番組のサーチを行う。そして、このサーチでテロップが表示される番組が抽出された際、チャンネルサーチ制御部が、抽出した番組のテロップを表示部に表示する。これにより、第一チューナー部で受信され表示部に表示されている番組を視聴しながらにして、視聴中以外のチャンネルの番組で表示されるテロップが表示部に表示されるので、ユーザーは、視聴中の番組を切り替えずに視聴中以外のチャンネルの番組に表示されるテロップの内容を容易に視認することができる。
【０００９】
請求項２に係る表示装置は、請求項１記載の表示装置において、前記第一チューナー部で受信しているデジタルデータを前記表示部に画面として表示している際、前記サーチで抽出されたチャンネルの番組を前記表示部に画面として多画面表示する画面表示制御部を備えたことを特徴とする。
【００１０】
請求項２の構成により、第一チューナー部で受信され表示部に表示されている番組の画面と、第二チューナー部でサーチされ抽出されたテロップが表示される番組の画面とが、画面表示制御部によりそれぞれ別画面として表示部に同時に表示することができる。これにより、第一チューナー部で受信され表示部に表示されている番組の視聴を継続しながら、視聴中以外のチャンネルの番組で表示されるテロップの番組も同時に視認することができるので利便性に優れ、且つ、ユーザーは視聴中の番組を切り替えずに視聴中以外のチャンネルの番組のテロップの内容をも簡単に確認することができる。
【００１１】
請求項３に係る表示装置は、請求項１記載の表示装置において、前記第一チューナー部で受信しているデジタルデータを前記表示部に画面として表示している際、この表示部に表示されている画面上に、前記サーチで抽出されたチャンネルに対応する番組の画面を同時に表示する画面表示制御部を備えたことを特徴とする。
【００１２】
請求項３の構成により、第一チューナー部で受信され表示部に表示されている番組の画面上に、第二チューナー部でサーチされ抽出されたテロップが表示されるチャンネルの番組の画面が、画面表示制御部により重なった状態で表示部に同時に表示される。これにより、第一チューナー部で受信され表示部に表示されている番組の視聴を継続しながら、視聴中以外のチャンネルの番組で表示されるテロップの番組も同時に視認することができるので利便性に優れ、且つ、ユーザーは視聴中の番組を切り替えずに視聴中以外のチャンネルの番組のテロップの内容をも簡単に確認することができる。
【００１３】
請求項４に係る表示装置は、請求項２又は３記載の表示装置において、前記第一チューナー部で受信されている番組の画面と、前記第二チューナー部で受信されている番組の画面とを相互に切り替える切替え制御部を備えたことを特徴とする。
【００１４】
請求項４の構成により、第一チューナー部で受信されている番組の画面と第二チューナー部で受信されている番組の画面との大きさが異なる場合であっても、ユーザーは、適宜、視認し易いように画面を相互に切り替えて各画面の内容を確認することができる。
【００１５】
請求項５に係る表示装置は、請求項１〜４の何れか１項に記載の表示装置において、前記第二チューナー部でサーチする時間を設定する時間設定部と、該時間設定部に設定された時間を計測する時間計測部とを備えたことを特徴とする。
【００１６】
請求項５の構成により、第二チューナー部でサーチする時間が時間設定部に設定されると、この設定された時間に基づき、テロップが表示されたことをテロップ検出部が判別した時点からの時間を時間計測部が計測し、この計測されている時間内、第二チューナー部が、表示部に表示されている番組以外のチャンネルでテロップが表示される番組のサーチを行うことができる。
【００１７】
請求項６に係る表示装置は、請求項５記載の表示装置において、前記サーチで前記表示部に表示されている番組以外のチャンネルでテロップが表示される番組が抽出されなかった際、前記画面表示制御部が、前記番組が抽出されなかった旨を前記表示部に文字や図形で表示することを特徴とする。
【００１８】
請求項６の構成により、第二チューナー部によるサーチで、表示部に表示されている番組以外のチャンネルでテロップが表示されなかったことを、画面表示制御部が表示部に文字や図形で表示する。これにより、ユーザーは表示部に表示された文字や図形によって、第一チューナー部で受信され表示部に表示されている視聴中以外の番組で、テロップが表示されるのか否かを、チャンネルを変更することなく簡単に文字や図形で確認することができる。
【発明の効果】
【００１９】
請求項１に係る表示装置によれば、デジタル放送を受信する第一チューナー部と、該第一チューナー部で受信しているデジタルデータを画面として表示する表示部と、該表示部に前記デジタルデータが画面として表示されている状態で緊急情報としてのテロップが前記表示部に表示されたか否かを判別するテロップ検出部とを備えた表示装置であって、前記テロップが前記表示部に表示されたことを前記テロップ検出部が判別した際、前記表示部に表示されている番組以外のチャンネルでテロップが表示される番組をサーチする第二チューナー部を備え、該サーチで抽出されたチャンネルに対応するテロップを前記表示部に表示するチャンネルサーチ制御部を備えたものである。これにより、第一チューナー部で受信され表示部にテロップが表示されている番組を視聴しながら、視聴中以外のチャンネルの番組で表示されるテロップを表示部に表示することができ、ユーザーは、視聴中の番組を切り替えることなく視聴中以外のチャンネルの番組に表示されるテロップを見逃すことなく容易にその内容を把握することができる。
【００２０】
請求項２に係る表示装置によれば、請求項１記載の表示装置において、前記第一チューナー部で受信しているデジタルデータを前記表示部に画面として表示している際、前記サーチで抽出されたチャンネルの番組を前記表示部に画面として多画面表示する画面表示制御部を備えたので、第一チューナー部と第二チューナー部で受信されテロップの表示された番組を同時に視聴することができるので利便性に優れ、且つ、ユーザーは視聴中の番組を切り替えることなく視聴中以外の番組のテロップの内容をも簡単に把握することができる。
【００２１】
請求項３に係る表示装置によれば、請求項１記載の表示装置において、前記第一チューナー部で受信しているデジタルデータを前記表示部に画面として表示している際、この表示部に表示されている画面上に、前記サーチで抽出されたチャンネルに対応する番組の画面を同時に表示する画面表示制御部を備えたので、第一チューナー部と第二チューナー部で受信されテロップの表示された番組を同時に視聴することができるので利便性に優れ、且つ、ユーザーは視聴中の番組を切り替えることなく視聴中以外の番組のテロップの内容をも簡単に把握することができる。
【００２２】
請求項４に係る表示装置によれば、請求項２又は３記載の表示装置において、前記第一チューナー部で受信されている番組の画面と、前記第二チューナー部で受信されている番組の画面とを相互に切り替える切替え制御部を備えたので、ユーザーは、視認し易いよう相互に画面を切り替えて選定することができる。よって、各画面に表示された内容を見誤ることなく正確に把握することが可能となる。
【００２３】
請求項５に係る表示装置によれば、請求項１〜４の何れか１項に記載の表示装置において、前記第二チューナー部でサーチする時間を設定する時間設定部と、該時間設定部に設定された時間を計測する時間計測部とを備えたので、テロップ検出部が判別した時点から開始される第二チューナー部によるサーチを、所望の時間で終了させることができる。
【００２４】
請求項６に係る表示装置によれば、請求項５記載の表示装置において、前記サーチで前記表示部に表示されている番組以外のチャンネルでテロップが表示される番組が抽出されなかった際、前記画面表示制御部が、前記番組が抽出されなかった旨を前記表示部に文字や図形で表示するので、視聴中以外の番組で、テロップが表示されるか否かを、チャンネルを変更することなく簡単に文字や図形で把握することができる。
【発明を実施するための最良の形態】
【００２５】
以下、本発明を実施するための最良の形態としての実施例を図１から図１４に基づき説明する。もちろん、本発明は、その発明の趣旨に反さない範囲で、実施例において説明した以外のものに対しても容易に適用可能なことは説明を要するまでもない。
【００２６】
図１は表示装置の構成を示すブロック図、図２は表示部にテロップが表示された状態を示す説明図、図３はテロップを構成する文字の１つを拡大した状態を示す説明図、図４はＹの閾値とＺの閾値との関係をグラフで示した説明図、図５はパターン１における輝度をグラフで示した説明図、図６はパターン２における輝度をグラフで示した説明図、図７はパターン３における輝度をグラフで示した説明図、図８は表示部に表示される画面を示す説明図、図９はリモコンの操作でローテーションされる、「子画面表示」、「通常画面表示」、「２画面表示」、「親画面表示」を示す説明図、図１０は「子画面表示」を示す説明図、図１１は「通常画面表示」を示す説明図、図１２は「２画面表示」を示す説明図、図１３はテロップが表示される番組が抽出されなかった際に、表示部に抽出されなかった旨が表示された状態を示す説明図、図１４は表示装置の動作を示すフローチャートである。
【００２７】
本実施例のテレビジョン受像機などの表示装置１は、図１に示すように、アンテナ１０からのデジタル放送信号を受信する第一チューナー部１２及び第二チューナー部１２Ａ、第一チューナー部１２及び第二チューナー部１２Ａで受信した映像等のデジタル信号を所定のデジタルデータに変換処理する映像処理部１３、映像処理部１３で変換された映像デジタルデータの出力を行なう映像出力部１５、映像出力部１５から出力されたデジタルデータを画面として表示する表示部１６、表示装置１の全体を制御するマイコンなどの制御手段としての制御部２０、制御部２０が利用する記録情報が記録されるＨＤＤ２１及びメモリ２２、リモコン受光部２３、表示装置１を直接操作するためのキー操作部２４、及び表示装置１をリモコン受光部２３を介して遠隔操作するリモコン２５を備え、前記制御部２０は、テロップ検出部３１、画面表示制御部３２、チャンネルサーチ制御部３３、時間設定部３４、時間計測部３５、チューナー切替え制御部３６等で構成されている。
【００２８】
次に、表示部に表示されるテロップの検出方法について以下に説明する。ニュース速報などの緊急情報のテロップはその特性上、バラエティ番組で使用されるような奇抜な色文字は使用されず、白い文字が短い時間（例えば３秒間）に二度（複数回）点滅するのが特徴となっており、さらに、背景色が、前記白い文字と同色である白の場合を考慮して白文字の周縁部が黒で縁取りがされている。
【００２９】
また、ニュース速報等の緊急情報のテロップが表示部１６に表示されたことを判別する条件としては、以下の４つの条件の少なくとも何れか１つ、或いは全てを満たすことで判別するものとする。なお、以下に示す矢印は、閾値の変化を表している。
【００３０】
第一の条件としては、白色あるいは黒色の最低どちらかの一方の閾値の条件を満たすことである。例えば、（１）輝度をＸとし、表示部１６に表示されているテロップの現在の輝度（今回の場合はテレビ画面である表示部１６の上部の背景に空の色である青色が表示されているものとする。）をＡとし、白の閾値をＹとする。このとき、Ｘ＝Ａ→Ａ’（Ａ’≧Ｙ）に変化するとテロップ検出部３１がその変化を検出する。或いは、（２）黒の閾値をＺとした場合には、Ｘ＝Ａ→Ａ’（Ａ’≦Ｚ）に変化したことをテロップ検出部３１が検出する。そして、こうした検出により、仮に表示部１６に表示された背景の色が青でなく黒であれば（１）で検出可能となり、仮に背景色が白であれば（２）で検出可能となる。また、背景色が、黒と白以外の色、例えば青であれば（１）、（２）の両条件を満たすことで検出可能となる。
【００３１】
第二の条件としては、テロップ検出部３１が規定時間以内（例えば３秒以内）に２度（もしくは複数回）輝度がＹ（白の閾値）以上、或いはＺ（黒の閾値）以下になることで、点滅していることを判別することである。
【００３２】
第三の条件としては、表示部１６の画面上部以外では、その輝度変化を示さないことである。つまり画面の一定の閾値より高い箇所、例えば画面の１／３以上の上部において、図４のグラフで示すとすれば、Ｙの閾値以上であることの条件を満たしているかを、テロップ検出部３１が検出することである。これは一般的にテロップの表示においては、表示部１６に表示される文字とオンスクリーンディスプレイとの重複表示を避けるためである。
【００３３】
第四の条件としては、一定ドット数以上が閾値を満たすことである。これはドットの集合体で構成される文字を目立つように表示部１６に表示する必要があるため一定ドットは点滅するからである。
【００３４】
さらに、図面に基づいて説明する。図２（ａ）は、テレビ画面としての表示部１６に視聴中の番組を表示した状態を示す説明図である。同図に示すように、表示部１６に表示している視聴中の通常の放送番組を表示している状態においては、例えば、テロップとしての地震情報などの緊急情報が、表示部１６に「ＦＺＺニュース速報」として表示された状態（図２（ｂ）に示した状態）においては、テロップの各文字が白色部を有すると共に、その周縁部に黒色部を有している。なお、図３は「ＦＺＺニュース速報」の文字の内、「Ｆ」を拡大して表示したものであり、「ＦＺＺニュース速報」の各文字は、それぞれ、矩形状の１ドット毎に色が付されており、「Ｆ」の文字の白色部の周縁部に黒色部を有している。
【００３５】
図４は、縦軸に輝度Ｘ，横軸に時間Ｔを示したグラフであり、白色部の閾値をＹ、黒色部の閾値をＺとして以下に説明する。前記「Ｆ」の白色部がＹの閾値を上回ると、テロップ検出部３１は表示部１６に表示されたテロップの白色部が白色であると検出及び判別すると共に、前記黒色部がＺの閾値を下回ると、テロップ検出部３１は表示部１６に表示されたテロップの黒色部が黒色であると検出及び判別する。なお、図４のグラフにおいて、Ｙの閾値が最大（∞）であれば真っ白、Ｚの閾値が０であれば真っ黒と認識される。
【００３６】
次に、表示部１６の画面の背景色が青色の状態で、テロップが表示される場合について、図５に示すパターン１により説明する。
【００３７】
図５（ａ）では、テロップが表示されていない状態なので、背景色に対応した青色の輝度Ｘ＝Ａのままとなっている。
【００３８】
図５（ｂ）では、テロップ検出部３１がニュース速報のテロップが出ていないときの輝度Ａを、青色と検出及び判別している状態において、テロップが表示部１６の画面に２回点滅して表示されると、表示されたテロップの黒色部の輝度が、Ｚの閾値を２回下回ることで、テロップ検出部３１は黒色であると検出及び判別する。
【００３９】
図５（ｃ）では、テロップ検出部３１がニュース速報のテロップが出ていないときの輝度Ａを、青色と検出及び判別している状態において、テロップが表示部１６の画面に２回点滅して表示されると、表示されたテロップの白色部の輝度が、Ｙの閾値を２回上回ることで、テロップ検出部３１は白色と検出及び判別する。
【００４０】
つまり、表示部１６にテロップが表示されていない状態から、テロップが表示部１６の画面に表示されると、白色部の輝度と黒色部の輝度が、前者は予め設定しておいたＹの閾値を上回ると共に後者はＺの閾値を下回ることにより、テロップ検出部３１が検出及び判別する。
【００４１】
次に、表示部１６の画面の背景色が黒色の状態でテロップが表示される場合について、図６に示すパターン２により説明する。
【００４２】
図６（ａ）では、テロップが表示部１６に表示されていない状態なので、背景色に対応した黒色の輝度Ｘ＝Ｂのままとなっている。
【００４３】
図６（ｂ）では、ニュース速報のテロップが、表示部１６に表示されているとき及び表示されていないときの輝度Ｂが、共にＺの閾値を下回っており、輝度Ｂが、Ｚの閾値を下回っていれば、輝度Ｂに変化があっても、テロップが表示部１６に２回点滅して表示されるどちらの状態であっても、テロップ検出部３１は、Ｚの閾値の検出には関与しない。
【００４４】
また、図６（ｃ）では、テロップ検出部３１がニュース速報のテロップが出ていないときの輝度Ｂを、青色と検出及び判別している状態において、テロップが表示部１６に２回点滅して表示されると、表示されたテロップの白色部の輝度が、Ｙの閾値を２回上回ることで、テロップ検出部３１は白色と検出及び判別する。
【００４５】
次に、テレビ画面の背景色が白色の状態でテロップが表示される場合について、図７に示すパターン３により説明する。
【００４６】
図７（ａ）では、テロップが表示部１６に表示されていない状態なので、背景色に対応した白色の輝度Ｘ＝Ｃのままとなっている。
【００４７】
図７（ｂ）では、ニュース速報のテロップが、表示部１６に表示されていないときの輝度Ｃが、Ｙの閾値を上回るので、テロップ検出部３１が白色であると検出及び判別するが、テロップが表示部１６に表示されているときには、輝度ＣはＺの閾値を下回っているので、テロップ検出部３１は黒色であると検出及び判別する。
【００４８】
図７（Ｃ）では、ニュース速報のテロップが、表示部１６に表示されているとき及び表示されていないときの輝度Ｃが、共にＹの閾値を上回っており、輝度Ｃが、Ｙの閾値を上回っていれば、輝度Ｃに変化があっても、テロップが表示部１６に２回点滅して表示されるどちらの状態であっても、テロップ検出部３１はＹの閾値の検出には関与しない。
【００４９】
以上のように、パターン１，２，３のいずれの場合でも、テロップとして表示された文字の黒色部または白色部の内のどちらか一つの閾値の判別結果に基づいて、テロップが表示部１６に表示されたことをテロップ検出部３１が検出する。
【００５０】
次に、テロップが検出された際に、テロップを検出した番組以外のチャンネルで表示される番組をサーチし、このサーチで抽出したチャンネルの番組を表示部に表示する一例について、図面に基づき以下に説明する。
【００５１】
図８は表示部に表示される画面を示す説明図であり、図８の（ａ）は表示部に表示されるメニュー画面、図８の（ｂ）はメニュー画面に表示された「表示設定」を選択した際に表示部表示される表示設定画面、図８の（ｃ）は表示設定画面に表示された「表示チャンネル設定」を選択した際に表示部表示されるテロップサーチ設定画面であり、これらの画面はリモコン２５による選択設定により、テロップが検出された際に行われるサーチの詳細設定を行うものである。
【００５２】
リモコン２５の操作により、メニュー画面、表示設定画面、テロップサーチ設定画面の順に画面を選択し、例えば、表示部１６に表示された図８の（Ｃ）に示すテロップサーチ設定画面において、「テロップチャンネルサーチ設定」の側部に対応して表示されたＯＮとＯＦＦの切り替えにより、ＯＮを選択した際には、テロップ検出部３１でテロップが検出されると共に、その検出した直後にユーザーがリモコン２５に有するテロップサーチボタン２５Ａを押し下げると、テロップサーチモードとして、表示部１６に表示されている視聴可能な番組は、第一チューナー部１２で受信されることを維持しながら、且つ、表示部１６に表示中である番組以外のチャンネルでテロップが表示される番組のサーチが第二チューナー部１２Ａにより行われ、チャンネルサーチ制御部３３からの指示による第二チューナー部１２Ａのサーチで該当するチャンネルの番組が抽出された際には、その抽出されたテロップの表示される番組が、チャンネルサーチ制御部３３により表示部１６に自動的に表示される。すなわち、ニュース速報などの予測なしに突然表示されるテロップが表示部１６に表示された際、ユーザーは視聴中以外の番組に表示されるテロップを、視聴中の番組と共にテロップの表示される番組を同時に表示させ視認することができる。なお、前記ＯＮとＯＦＦの切り替え操作で、ＯＦＦを選択した際には、第二チューナー部１２Ａによるサーチは行なわれない。また、テロップ検出部３１でテロップが検出された際、その直後にテロップサーチボタン２５Ａを押し下げることで、テロップサーチモードに移行して、表示部１６に表示中である番組以外のチャンネルでテロップが表示される番組のサーチが第二チューナー部１２Ａにより行われる一例を上述したが、これに限らず、テロップ検出部３１でテロップが検出された際、その直後にテロップサーチボタン２５Ａを押し下げなくても、表示部１６に表示中である番組以外のチャンネルでテロップが表示される番組のサーチが、第二チューナー部１２Ａにより行うように設定することも可能である。
【００５３】
次に、図８の（Ｃ）に示す「表示画面設定」について説明する。この表示画面設定においては、リモコン２５による選択操作で種々の画面を設定することができ、同図に示す「表示画面設定」に対応する「子画面表示」などの右側の項目を、リモコン２５の操作で「子画面表示」、「通常画面表示」、「２画面表示」、「親画面表示」の４者を、図９に示すようにローテーションして選択設定できるようになっており、ユーザーは、視聴中の番組と視聴中以外でテロップの表示される番組とを、図１０〜図１２などに示す「子画面表示」、「通常画面表示」、「２画面表示」、「親画面表示」の形態で、表示部１６に同時に表示することができる。
【００５４】
表示画面設定で「子画面表示」を選択設定すると共にその右側の項目で「ＯＮ」を選択設定した状態においては、第二チューナー部１２Ａにおけるサーチでテロップが表示されるチャンネルの番組が抽出された場合、図１０に示すように、第一チューナー部１２で受信されて表示部１６の全体に表示されている視聴中の通常画面を親画面とし、この親画面上に、画像表示制御部３２が親画面より小さい大きさで子画面として、第二チューナー部１２Ａで受信されているチャンネルサーチ制御部３３で抽出されたテロップの表示された画面が重なった状態で同時に表示される。
【００５５】
また、表示画面設定で「通常画面表示」を選択設定すると共にその右側の項目で「ＯＮ」を選択設定した状態においては、第二チューナー部１２Ａにおけるサーチでテロップが表示されるチャンネルの番組が抽出された場合、図１１に示すように、画像表示制御部３２が、第一チューナー部１２で受信されて表示部１６の全体に表示されている視聴中の通常画面に代えて、第二チューナー部１２Ａで受信されているチャンネルサーチ制御部３３で抽出されたテロップの表示された画面を表示部１６の全体に表示する。
【００５６】
また、表示画面設定で「２画面表示」を選択設定すると共にその右側の項目で「ＯＮ」を選択設定した状態においては、第二チューナー部１２Ａにおけるサーチでテロップが表示されるチャンネルの番組が抽出された場合、図１２に示すように、画像表示制御部３２が、第一チューナー部１２で受信されて表示部１６の全体に表示されている視聴中の通常画面と、第二チューナー部１２Ａで受信されているチャンネルサーチ制御部３３で抽出されたテロップの表示された画面とを、表示部１６に２つの画面として多画面表示する。
【００５７】
また、表示画面設定で「親画面表示」を選択設定すると共にその右側の項目で「ＯＮ」を選択設定した状態においては、前述した図１０に示した「子画面表示」の表示形態と同じではあるが、画像表示制御部３２が、第二チューナー部１２Ａで受信されているチャンネルサーチ制御部３３で抽出されたテロップの表示された画面を表示部１６の全体に親画面として表示すると共に、この画面上に第一チューナー部１２で受信されて視聴中の画面を子画面として重なった状態で同時に表示する。なお、表示画面設定で「親画面表示」又は「子画面表示」を選択設定すると共にその右側の項目で「ＯＮ」を選択設定した状態においては、第一チューナー部１２Ａで受信されている番組の画面と、第二チューナー部１２Ａで受信されている番組の画面とを、リモコン２５の操作で、相互に切り替えることが可能なチューナー切替え制御部３６を備えているので、ユーザーは、視認し易いようにリモコン２５の操作で任意に前記画面を切り替えて表示部１６に表示することができる。
【００５８】
次に、表示部１６に表示された図８の（Ｃ）に示すテロップサーチ設定画面において、「規定時間設定」の側部に表示された時間、及びＯＮとＯＦＦの切り替え選択をした場合について以下に説明する。リモコン２５の操作により、図８の（Ｃ）に示すように、前記時間を「５分」、ＯＮとＯＦＦの切り替えでＯＮを選択した場合において、第一チューナー部１２で受信されている番組が表示されている表示部１６の画面にテロップが表示された際、テロップ検出部３１が、テロップが表示部１６に表示されたことを判別してから５分間の間、表示部１６に表示されている視聴中の番組以外のチャンネルでテロップが表示される番組があるのか否かが第二チューナー部１２Ａでサーチされる。なお、前記ＯＮとＯＦＦの切り替えでＯＮを選択した場合には、リモコン２５に有する１０キーによる入力や、図示しない上下左右キーを押下することにより５分以外の時間を任意に入力設定可能である。また、設定した時間内でサーチが行なわれた際、このサーチで表示部１６に表示されている番組以外のチャンネルでテロップが表示される番組が抽出されなかった際には、画面表示制御部３２が、番組が抽出されなかった旨を、「テロップは検出されませんでした。」として表示部１６に文字で表示し、ユーザーに報知するので利便性が高い。なお、本実施例では、番組が抽出されなかった旨を前記表示部１６に文字で表示しているが、これに限らず、図形などであってもよい。
【００５９】
次に、図１４に基づき表示装置の動作の一例を以下に説明する。第一チューナー部１２で受信されている番組のみが表示部１６の全体に表示されている番組の視聴中（Ｓ１）に、第一チューナー部１２で受信されている番組のテロップが表示部１６に表示された際、ユーザーがテロップサーチボタン２５Ａを押下しなければ（Ｓ２）、第一チューナー部１２で受信されている番組が表示部１６に継続して表示されるので、ユーザーは表示部１６に表示されている番組を継続して視聴することができる（Ｓ４）。その一方で、ユーザーがテロップサーチボタン２５Ａを押下し、且つ図８の（c）で示した「テロップチャンネルサーチ設定」に対応する項目で「ＯＮ」が選択設定されている際には（Ｓ３）、テロップサーチモードに移行し、第一チューナー部１２で受信されている番組以外で、テロップが表示される番組のサーチを第二チューナー部１２Ａが行ない（Ｓ５）、そのサーチで表示部１６に表示されている番組以外のチャンネルでテロップが表示される番組がチャンネルサーチ制御部３３により抽出されると（Ｓ６）、表示画面設定における設定（「子画面表示」などの設定及びＯＮの設定）が有る際には（Ｓ７）、予めリモコン２５で選択設定された、「子画面表示」、「通常画面表示」、「２画面表示」、又は「親画面表示」の何れかの形態で表示部１６に表示される（Ｓ８）。そして、この状態で、テロップサーチボタン２５Ａが押下されると（Ｓ９）、表示部１６に表示されている「子画面表示」、「通常画面表示」、「２画面表示」、「親画面表示」の内の何れかの表示から、第一チューナー部１２で受信されている番組のみを表示部１６の全体に表示した番組視聴中の状態に戻ることになる（Ｓ１０）。なお、Ｓ９にて、テロップサーチボタン２５Ａが押下されなかった際にはＳ８に戻る。
【００６０】
また、Ｓ６にて、テロップが表示される番組がチャンネルサーチ制御部３３により抽出されないで、次に、規定時間設定における設定（５分などの時間設定及びＯＮの設定）が有る際には（Ｓ１１）、「規定時間設定」で設定した５分などの時間、第二チューナー部１２Ａが、表示部１６に表示されている番組以外のチャンネルでテロップが表示される番組のサーチを行い、「規定時間設定」で設定した５分などの時間の経過後には、第二チューナー部１２Ａによるサーチは終了する（Ｓ１２、Ｓ１３）。そして、第二チューナー部１２Ａによるサーチでテロップの表示されたチャンネルの番組が抽出されなかった際には、番組が抽出されなかった旨を、画面表示制御部３２が、「テロップは検出されませんでした。」などの文字を表示部１６に表示することで、ユーザーに報知する（Ｓ１４）。次に、ユーザーは第二チューナー部１２Ａによるサーチでテロップの表示されたチャンネルの番組が抽出されなかった旨を、確認しながらにして、表示部１６の視聴をそのまま継続することになる（Ｓ１５）。なお、Ｓ１１にて、規定時間設定における設定（５分などの時間設定及びＯＮの設定）がない際には、このタイミングなどにおいて、５分と時間設定を行った際には、Ｓ１２、Ｓ１３の順に進み、また、Ｓ１２にて、「規定時間設定」で設定した５分などの時間を経過しなかった際には、Ｓ５に戻ることになる。
【００６１】
以上のように、表示装置１によれば、デジタル放送を受信する第一チューナー部１２と、第一チューナー部１２で受信しているデジタルデータを画面として表示する表示部１６と、表示部１６にデジタルデータが画面として表示されている状態で緊急情報としてのテロップが表示部１６に表示されたか否かを判別するテロップ検出部３１とを備え、テロップが前表示部１６に表示されたことをテロップ検出部３１が判別した際、表示部１６に表示されている番組以外のチャンネルでテロップが表示される番組をサーチする第二チューナー部１２Ａを備え、第二チューナー部１２Ａによるサーチで抽出されたチャンネルに対応するテロップ、より詳しくは、前記サーチで抽出された番組を表示部１６に表示したときに表示されることになるテロップを含む画面を、表示部１６に表示するチャンネルサーチ制御部３３を備えたので、第一チューナー部１２で受信され表示部１６に表示されている視聴可能な番組の画面に、ニュース速報などの予測なしに突然表示されるテロップが表示されたことをテロップ検出部３１が判別した際、第二チューナー部１２Ａが、表示部１６に表示されている番組以外のチャンネルでテロップが表示される番組のサーチを行い、このサーチでテロップが表示される番組が抽出された際に、チャンネルサーチ制御部３３が、抽出した番組のテロップを表示部１６に表示することができる。よって、第一チューナー部１２で受信され表示部１６にテロップが表示されている番組を視聴しながらにして、視聴中以外のチャンネルの番組で表示されるテロップを表示部１６に同時に表示することができるので、ユーザーは、視聴中の番組を切り替えずに視聴中以外のチャンネルの番組に表示されるテロップの内容を見逃すことなく容易に把握することができるので利便性に優れる。
【００６２】
さらに、画面表示制御部３２が、第一チューナー部１２で受信しているデジタルデータを表示部１６に画面として表示している際、前記サーチで抽出されたチャンネルの番組を表示部１６に画面として多画面表示したり、第一チューナー部１２で受信しているデジタルデータを表示部１６に画面として表示している際、表示部１６に表示されている画面上に、前記サーチで抽出されたチャンネルに対応する番組の画面を重なった状態などで同時に表示することができるので、第一チューナー部１２で受信され表示部１６に表示されている番組の画面と、第二チューナー部１２Ａでサーチされ抽出されたテロップが表示される番組の画面とが、画面表示制御部３２によりそれぞれ別画面として表示部１６に同時に表示することができる。これにより、第一チューナー部１２で受信され表示部１６にテロップが表示されている番組の視聴を継続しながら、視聴中以外のチャンネルの番組で表示されるテロップの番組も同時に視認することができるのでより利便性に優れ、ユーザーは視聴中の番組を切り替えずに視聴中以外のチャンネルの番組のテロップの内容をも簡単に確認することができる。
【００６３】
さらに、第一チューナー部１２で受信されている番組の画面と、第二チューナー部１２Ａで受信されている番組の画面とを相互に切り替えるチューナー切替え制御部３６を備えたので、例えば、第一チューナー部１２で受信されている番組の画面と第二チューナー部１２Ａで受信されている番組の画面との大きさが異なる場合であっても、ユーザーは、適宜、視認し易いように画面を相互に切り替えて各画面の内容を確認することができる。従って、ユーザーは、視認し易いよう相互に画面を切り替え、各画面に表示された内容を見誤ることなく正確に把握することが可能となる。
【００６４】
さらに、リモコン２５の操作により第二チューナー部１２Ａでサーチする時間が設定される時間設定部３４と、時間設定部３４に設定された時間を計測する時間計測部３５とを備えたので、第二チューナー部１２Ａでサーチする時間が時間設定部３４に設定されると、この設定された時間に基づき、テロップが表示されたことをテロップ検出部３１が判別した時点からの時間を時間計測部３５が計測し、この計測されている時間内、第二チューナー部１２Ａが、表示部１６に表示されている番組以外のチャンネルでテロップが表示される番組のサーチを行うので、テロップ検出部３１が判別した時点から開始される第二チューナー部１２Ａによるサーチを、所望の時間で終了させることができる。
【００６５】
さらに、第二チューナー部１２Ａによるサーチで、表示部１６に表示されている番組以外のチャンネルでテロップが表示される番組が抽出されなかった際、画面表示制御部３２が、番組が抽出されなかった旨を表示部１６に文字や図形で表示するので、ユーザーは表示部１６に表示された文字や図形によって、第一チューナー部１２で受信され表示部１６に表示されている視聴中の番組以外の番組で、テロップが表示されるのか否かを、チャンネルを変更することなく表示部１６に表示された「テロップは検出されませんでした。」などの文字や図形を目視することで、簡単に把握することができる。
【００６６】
また、本実施例における表示装置１の制御部２０は、第一チューナー部１２及び第二チューナー部１２Ａで受信されたテロップを含む画面をメモリ２２に記憶するので、ユーザーはリモコン２５の操作により制御部２０に指示信号を出力し、メモリ２２に記憶されたテロップを含む画面を表示部１６に表示させることができる。従って、ユーザーは後々になって、テロップを再表示することができるので、テロップの内容を忘れてしまっても、再度表示部１６に表示して再確認することができるのでより利便性が良い。
【図面の簡単な説明】
【００６７】
【図１】本発明の実施例における、表示装置の構成を示すブロック図である。
【図２】同上、表示部にテロップが表示された状態を示す説明図である。
【図３】同上、テロップを構成する文字の１つを拡大した状態を示す説明図である。
【図４】同上、Ｙの閾値とＺの閾値との関係をグラフで示した説明図である。
【図５】同上、パターン１における輝度をグラフで示した説明図である。
【図６】同上、パターン２における輝度をグラフで示した説明図である。
【図７】同上、パターン３における輝度をグラフで示した説明図である。
【図８】同上、表示部に表示される画面を示す説明図である。
【図９】同上、リモコンの操作でローテーションされる、「子画面表示」、「通常画面表示」、「２画面表示」、「親画面表示」を示す説明図、図１０は「通常画面表示」を示す説明図である。
【図１０】同上、「子画面表示」を示す説明図である。
【図１１】同上、「通常画面表示」を示す説明図である。
【図１２】同上、「２画面表示」を示す説明図である。
【図１３】同上、テロップが表示される番組が抽出されなかった際に、表示部に抽出されなかった旨が表示された状態を示す説明図である。
【図１４】同上、表示装置の動作を示すフローチャートである。
【符号の説明】
【００６８】
１  表示装置
１２  第一チューナー部
１２Ａ  第二チューナー部
１６  表示部
３１  テロップ検出部
３２  画面表示制御部
３３  チャンネルサーチ制御部
３４  時間設定部
３５  時間計測部
３６  チューナー切替え制御部（切替え制御部）
【図１】
2008085561.tif 000003
【図２】
2008085561.tif 000004
【図３】
2008085561.tif 000005
【図４】
2008085561.tif 000006
【図５】
2008085561.tif 000007
【図６】
2008085561.tif 000008
【図７】
2008085561.tif 000009
【図８】
2008085561.tif 000010
【図９】
2008085561.tif 000011
【図１０】
2008085561.tif 000012
【図１１】
2008085561.tif 000013
【図１２】
2008085561.tif 000014
【図１３】
2008085561.tif 000015
【図１４】
2008085561.tif 000016